(57)【特許請求の範囲】
【請求項１】
垂直方向に立上げられた柱状部材と該柱状部材にクロスして設けた結合部材を具備した背もたれ支持部材と、前面が着座者の背当て面に形成された背もたれシェル部材であって裏面に前記柱状部材の上端に嵌合される嵌合部と前記結合部材に上方から係合する係止片と裏面外周近傍に設けてアウターシェルに形成された対応するファスナ部材と結合するファスナ部材とを形成した背もたれインナーシェル部材と、前記背もたれ支持部材に取付けられた前記シェル部材を前記支持部材を挟んで背面側から覆うアウターシェルであって、その前面に前記シェル部材のファスナ部材に結合されるファスナ部材と前記結合部材に下方から係合する係止片とを形成したアウターシェルとから成り、前記２つのシェル部材が、背もたれ支持部材における柱状部材と結合部材とを、その前後面並びに上下面から抱持するように取付けられたことを特徴とするオフィス用椅子の背もたれ。
【請求項２】
垂直方向に立上げられた柱状部材と該柱状部材にクロスして設けた結合部材を具備した背もたれ支持部材と、前面が着座者の背当て面に形成された背もたれシェル部材であって裏面に前記結合部材に下方から係合する係止片と裏面外周近傍に設けてアウターシェルに形成された対応するファスナ部材と結合するファスナ部材とを形成した背もたれインナーシェル部材と、前記背もたれ支持部材に取付けられた前記シェル部材を前記支持部材を挟んで背面側から覆うアウターシェルであって、その前面に前記シェル部材のファスナ部材に結合されるファスナ部材と前記柱状部材の上端に嵌合される嵌合部と結合部材に上方から係合する係止片とを形成したアウターシェルとから成り、前記２つのシェル部材が、背もたれ支持部材における柱状部材と結合部材とを、その前後面並びに上下面から抱持するように取付けられたことを特徴とするオフィス用椅子の背もたれ。
【発明の詳細な説明】
【０００１】
【発明の属する技術分野】
本発明はオフィス用の回転椅子における背もたれの構造に関する。
【０００２】
【従来の技術】
近時、オフィス用の回転椅子は、背，座をシンクロして動作させ、着座者の姿勢の変化に座板や背もたれがよく追従するようにした高機能のものが多く使用されるようになった。これは、オフィス等のいわゆるＯＡ化が進展し、オフィス内で一人一台、あるいはそれ以上のパソコン等を使用した業務形態が普通になりつつあり、このような場合に使用される椅子としては、旧来の例えば背もたれのみが後傾するタイプの椅子では、長時間に亘るキーボード操作などの作業を行うと疲労し易く、好適とはいえないからである。
【０００３】
このように最近のオフィス用椅子は、その高機能化，高性能化に伴い、座板や背もたれの内部にインナーシェルを持たせた構造とし、そのシェルに様々な工夫が加えられており、また、デザイン的には座板の下面や背もたれの背面をアウターシェルで被覆して椅子のボリューム感や高級感を打出す工夫がなされているが、別の問題もある。
【０００４】
即ち、例えば背もたれの内部にインナーシェルを入れ、また背もたれの背面をアウターシェルで覆ってしまう構造であると、そのインナーシェルを椅子のフレームに止めるためビスを用いたり、或は、インナーシェルや背もたれフレームとアウターシェルとの結合にビスなどの止め金具を用いるため、背もたれの組立や分解にドライバーなどの工具を不可欠とするのみならず、組立てや分解操作に結構な手間を要するという問題がその一つである。また、背もたれの交換や廃棄時のリサイクルの面からも、椅子の構造は分別処理を行い易い構造であることが望まれている。
【０００５】
【発明が解決しようとする課題】
本発明は上記のような問題点に鑑み、組立てや分解にドライバー等の工具を使用せず、また、リサイクルの面から見ても取扱い易い構造を付与したオフィス用イスに適用して有用な背もたれを提供することを、課題とするものである。
【０００６】
【課題を解決するための手段】
上記課題を解決することを目的としてなされた本発明背もたれの構成は、垂直方向に立上げられた柱状部材と該柱状部材にクロスして設けた結合部材を具備した背もたれ支持部材と、前面が着座者の背当て面に形成された背もたれシェル部材であって裏面に前記柱状部材の上端に嵌合される嵌合部と前記結合部材に上方から係合する係止片と裏面外周近傍に設けてアウターシェルに形成された対応するファスナ部材と結合するファスナ部材とを形成した背もたれインナーシェル部材と、前記背もたれ支持部材に取付けられた前記シェル部材を前記支持部材を挟んで背面側から覆うアウターシェルであって、その前面に前記シェル部材のファスナ部材に結合されるファスナ部材と前記結合部材に下方から係合する係止片とを形成したアウターシェルとから成り、前記２つのシェル部材が、背もたれ支持部材における柱状部材と結合部材とを、その前後面並びに上下面から抱持するように取付けられたことを特徴とするものである。
【０００７】
【発明の実施の形態】
次に本発明の実施の形態例について、図に拠り説明する。図１は本発明背もたれの一例を具備した椅子の分解状態の斜視図、図２は本発明背もたれの要部の側断面図、図３は本発明背もたれを設けた図１の椅子の側断面図である。
【０００８】
図１〜図３において、１は背もたれ支持部材で、図示した例では、２本のＬ字状をなす部材における縦向きの柱状部材11，12と、この柱状部材11，12の上部と中間部に両部材11，12を結合するように架設固定した横向きの結合部材13，14とにより形成されている。
【０００９】
２は前記背もたれ支持部材１の前面に設けた背もたれのインナーシェル部材であって、その前面には、外皮3aに被覆されたクッション材3bが背もたれ３として貼設できるように形成されている一方、このインナーシェル２の裏面側が次のように形成されている。
【００１０】
而して、インナーシェル部材２の裏面側には、前記支持部材１における柱状部材11，12の上端に被せられる筒状をなす左右２個の嵌合部2aと、下方の結合部材14にその上辺側から係止される略┐状をなす左右２個の係止片2bが形成されている。そして、このシェル部材２における裏面側の外周縁近傍には、後に述べるアウターシェル４の前面に形成した雌雄結合タイプのファスナー部材の一方の部材、ここでは雌部材2cの複数個がこのシェル部材２の裏面から突出して形成されている。
【００１１】
上記インナーシェル部材２は、通常、合成樹脂材の成形品として形成されるので、上記の２つの嵌合部2a，係合片2b，結合ファスナーの雌部材2cは、すべてこのシェル部材２と一体に成形されている。そしてインナーシェル部材２は、２つの嵌合部2aを背もたれ支持部材１における柱状部材11，12の上端に嵌合させると同時に、係合片2bを下方の結合部材14の上辺にその上方から係止させて支持部材１の前面側に止められるが、このままでは、インナーシェル部材２を上方へ持上げれば支持部材１から簡単に外れてしまう。そこで、本発明では、このインナーシェル部材２を、後に述べるアウターシェル４との協働作用で支持部材１の前面に固着するようにしている。
【００１２】
４は前記支持部材１の後面側から前記シェル部材２に結合させることにより、当該支持部材１をインナーシェル部材２と協働して被覆するアウターシェルで次のように形成されている。即ち、アウターシェル４は、その前面であって、支持部材１における結合部材13と同14に、両部材13，14の下辺側から係合される左右でペアをなす上下２組の係止片4aと同4bを、このシェル４の前面の略中央部に突出形成していると共に、前記インナーシェル部材２の裏面外周縁に沿って形成されている結合ファスナの雌部材2cに対向する部位に、雄部材4cを前面側に突出して形成している。
【００１３】
上記に述べた背もたれ支持部材１と、背もたれ３を前面に貼設したインナーシェル部材２と、アウターシェル4との結合形態について説明する。まず、背もたれ３を前面に具備したインナーシェル部材２を、前記支持部材１の前面側に当てがうと共に、当該シェル部材２における２つの嵌合部2aを支持部材１における柱状部材11，12の上端に被せると同時に、下方の係止片2bを、前記支持部材１における下方の結合部材14の上辺に上から係止する。
【００１４】
次いで、アウターシェル４を背もたれ支持部材１の背面側に当てがい、その上，下の係止片4aと同4bを、この支持部材１における上，下の結合部材13，14の下辺に下方から係止させ、同時にこのシェル４の前面外周縁に突出形成した結合ファスナの各雄部材4cを、夫々の部材4cが対向する前記インナーシェル部材２における各雌部材2cに、逐次結合させることにより、インナーシェル部材２とアウターシェル４とは、背もたれ支持部材１をその前後面から挟んだ形で当該支持部材１に取付けられることとなる。
【００１５】
この場合において、インナーとアウターの両シェル２と４は、背もたれ支持部材１における柱状部材11，12と結合部材13，14を、夫々の嵌合部2aと係止片2bにより上方から嵌合，係止する一方、係止片4a，4bにより下方から係合すると同時に、結合ファスナ2c，4cにより両シェル２，４が合着一体化されるので、前記シェル２，４を含む背もたれ３がその支持部材１から抜けたり脱落するおそれは、全くない。しかも、前記両シェル２，４の支持部材１に対する取付構造はビス等の止め金具を一切使用しないので、そのような金具やドライバー等の専用工具を要せず、組立て、或は、分解が可能になるという利点がある。
【００１６】
次に、図１〜図３により説明した本発明背もたれを具備したオフィス用椅子は、一例として次の構成を具備しているので、以下に説明する。
【００１７】
背もたれの支持部材１は、その柱状部材11，12の下方が水平方向に曲げられて側面から見て略Ｌ字状（図示した例では左右反転している）をなすレバー部材５に形成され、このレバー部材５における先端は、更に下方へ曲げられてバネ押し部5aに形成されている。
【００１８】
一方、下端に平面星形の足6aを有し、内部にガススプリング6bを有する脚支柱６の上端には、前記レバー部材５の前端部を水平な取付軸７により枢着支持する大略箱状をなすベース部材８が、その後部寄り底面において支持されており、このベース部材８の内部には、前記レバー部材５のバネ押し部5aに後端を支持されるコイルバネ９が収装されている。ベース部材８の前記バネ９の先端側には、当該ベース部材８の内部で前後変位可能に形成したバネ受9aが配設されている。
【００１９】
一方、前記ベース部材８の前端部の左右には、軸受け用の横長穴10aを有する左右の軸受けブラケット10が前方へ向け突設されて、左右の長穴10aに第一水平軸21が架設されている。そして、前記レバー部材５における水平部位の中間には、前記第一水平軸21と平行な第二水平軸22が取付けられ、これら両水平軸21，22の上に、座インナーシェル23が、その下面の前後に下向きに突出させて形成した軸受ブラケット24，25の軸受け用切欠24a，25aにおいて係合され載架支持されている。
【００２０】
ここで、座インナーシェル23は、その周囲23aの剛性を高める断面形状やリブなどを有すると共に、中央部23bはよくベンディングするように適宜パターンのスリット23cが形成され、かつ、このシェル23の上面には外皮26aに被覆されたクッション材26bによる座板26が貼設されている。座板26は、その外皮26aの周縁が、このシェル23の裏面周囲の溝に、押えファスナー23dにより固定されている。なお、図１において、27はレバー部材５の後部左右に設けた肘掛けの取付座、28は肘掛け、29，30はベース部材８とレバー部材５の下面側を覆うアンダーカバーで、以上により本発明背もたれを適用したオフィス用の回転椅子の一例を形成している。
【００２１】
【発明の効果】
本発明は以上に述べた通りであって、本発明では、背もたれは勿論のこと座板も、それらの構成部材が一切のビス等の止め金具を用いることなく結合されたシェル部材と外皮で被覆したクッション部材とにより形成され、しかも、夫々のシェル部材もビス等の止め金具を用いることなく、従って、そのための工具も必要とせずに夫々の取付部位に取付けることが可能であるから、組立て手間やコストの面で有利になる。
【００２２】
また、背もたれと座板は止め金具や工具を全く使用しないので、背もたれや座板の取替え、或は、廃棄する場合も容易に椅子本体から取外すことができ、また、いわゆる分別処理にも適している。
【図面の簡単な説明】
【図１】本発明背もたれの一例を具備した椅子の分解状態の斜視図。
【図２】本発明背もたれの要部の側断面図。
【図３】本発明背もたれを設けた図１の椅子の側断面図。
【符号の説明】
１        背もたれ支持部材
11，12    柱状部材
13，14    結合部材
２        背インナーシェル部材
2a        嵌合部
2b        係止部
2c        結合ファスナーの雌部材
３        背もたれ
3a        外皮
3b        クッション材
４        アウターシェル
4a，4b    上，下の係止片
4c        結合ファスナーの雄部材
５        レバー部材
【図１】
0003543071.tif 000002
【図２】
0003543071.tif 000003
【図３】
0003543071.tif 000004